(57)【要約】      （修正有）【課題】上層に複数層の足場が設けられた場合であっても、足場が拡幅された状態を強固に保持することのできる足場拡幅用ブラケットを提供する。【解決手段】足場拡幅用ブラケット１０は、複数のフランジを有する支柱に対して取り付けられ、足場の幅方向に拡げるためのものである。水平部材１１の下面途中から支柱側にかつ斜め方向に延び、一端が支柱に当接されて水平部材１１を支持する斜め部材１２と、水平部材１１の一端に設けられ、基準フランジに連結するための第１連結部材１７と、水平部材１１の他端に上下方向に延びて設けられ、拡幅用支柱を上部に支持する支柱支持部材１４と、支柱支持部材１４の下部に設けられ、支柱支持部材１４を支持するための長尺状の長尺支持部材１５と、長尺支持部材１５の一端に設けられ、他の基準フランジに連結するための第２連結部材３１とを備える。【選択図】図２
2015218576.tif 000002
【特許請求の範囲】
【請求項１】
上下方向に所定間隔を隔てて設けられた複数のフランジを有する支柱に対して取り付けられ、足場の幅方向に拡げるための足場拡幅用ブラケットであって、
水平方向に延びた水平部材と、
前記水平部材の下面途中から前記支柱側にかつ斜め方向に延び、一端が前記支柱に当接されて前記水平部材を支持する斜め部材と、
前記水平部材の一端に設けられ、前記足場板を敷設するための水平材が連結されるフランジと同一のフランジに連結するための第１連結部材と、
前記水平部材の他端に上下方向に延びて設けられ、前記支柱と異なる拡幅用支柱を上部に支持する支柱支持部材と、
前記支柱支持部材の下部に設けられ、前記支柱支持部材を支持するための長尺状の長尺支持部材と、
前記長尺支持部材の一端に設けられ、前記水平材と異なる他の水平材が連結される他のフランジと同一のフランジに連結するための第２連結部材と、
を備えることを特徴とする、足場拡幅用ブラケット。
【請求項２】
前記長尺支持部材は、前記支柱支持部材と別体とされており、
前記支柱支持部材の下部に取外し自在に設けられている、請求項１に記載の足場拡幅用ブラケット。
【請求項３】
前記各フランジは、略板状に形成されかつ前記各連結部材を連結するためのフランジ孔が形成されており、
前記第１連結部材及び第２連結部材は、
前記フランジを挟み込む側面開口、上面に形成された上面開口及び下面に形成された下面開口をそれぞれ有する本体と、
前記本体の上面開口、前記フランジ孔及び前記本体の下面開口にこの順序でそれぞれ挿入することにより前記フランジと前記本体とを連結するための略棒状のくさびと、をそれぞれ有している、請求項１または２に記載の足場拡幅用ブラケット。
【請求項４】
足場の幅方向に拡げるための足場拡幅用ブラケットを、上下方向に所定間隔を隔てて設けられた複数のフランジを有する支柱に対して取り付ける取付方法であって、
前記支柱と異なる拡幅用支柱を支持するための上下方向に延びた支柱支持部材に接続され、水平方向に延びた水平部材を、前記水平部材の一端に設けられた第１連結部材を用いて前記フランジに連結固定する第１工程と、
前記支柱支持部材と、この支柱支持部材を支持するための長尺状の前記長尺支持部材とを接続する第２工程と、
前記長尺支持部材を、前記長尺支持部材の一端に設けられた第２連結部材を用いて前記フランジと異なる他のフランジに連結固定する第３工程と、
を有することを特徴とする、足場拡幅用ブラケットの取付方法。
【発明の詳細な説明】
【技術分野】
【０００１】  本発明は、建築工事現場等で組み立てられる仮設足場において、高さ途中位置から足場の幅方向に拡げるための足場拡幅用ブラケットに関するものである。
【背景技術】
【０００２】  従来、仮設足場は、建築工事現場において例えばビル等の建築物に沿うようにして設けられ、現場作業者が建築物の補修等の工事を行うために用いられる。仮設足場としては、例えば各部材を連結する際に長尺状のくさびが用いられるくさび緊結式足場が知られている。このくさび緊結式足場では、高さ中途位置から足場の幅方向に拡幅可能な足場拡幅用ブラケットが用いられるものが知られている（例えば特許文献１参照）。【０００３】  図８は、従来の足場拡幅用ブラケット４０（以下、単に「ブラケット４０」という。）を示す図である。ブラケット４０は、上下方向に延びる主軸部４１と、主軸部４１の上部から水平方向に延びた水平連結部４２と、水平連結部４２の先端に上下方向に延び、かつ主軸部４１よりその長さが小とされた支持軸部４３と、支持軸部４３の下部から傾斜されて延び主軸部４１の下部に連結された傾斜補強部４４とを備えている。主軸部４１及び支持軸部４３には、フランジ４１ａ及びフランジ４３ａがそれぞれ形成されている。【０００４】  図９は、ブラケット４０が適用された仮設足場を示す側面図である。この仮設足場では、建築物Ｂに沿って内側支柱４５及び外側支柱４６が設けられ、内側支柱４５のフランジ４５ａと外側支柱４６のフランジ４６ａとの間に水平部材４７が取付けられる。そして、高さ途中位置から足場の幅方向に拡げる場合には、外側支柱４６の上端４６ｂにブラケット４０の主軸部４１が取付けられる。【０００５】  次いで、主軸部４１のフランジ４１ａと、内側支柱４５のフランジ４５ａとの間に、水平部材４７が取付けられる。そして、ブラケット４０の支持軸部４３の上端には、拡幅用支柱４８が取付けられ、内側支柱４５のフランジ４５ａと、拡幅用支柱４８のフランジ４８ａとの間に、上記水平部材４７より長い他の水平部材４９が取付けられる。この水平部材４９に対して、建築物Ｂの側面に沿って図略の足場板が敷設される。このように、ブラケット４０を用いることにより、仮設足場の高さ中途位置から足場の幅方向に拡げることができる。【０００６】  ところが、仮設足場では、図９に示した水平部材４９によって足場板の設置領域が拡幅された状態からさらに上方に複数層の足場が敷設される場合がある。複数層の足場が上方にさらに敷設されると、複数層の足場による荷重（図９の矢印Ｐ参照）は、ブラケット４０に集中することになる。そのため、従来の構成では、水平連結部４２や主軸部４１と傾斜補強部４４との接合部等がその荷重Ｐに耐えきれず、変形したり損傷したりするおそれがあった。
【先行技術文献】
【特許文献】
【０００７】
【特許文献１】特開２０１２−２４１４９１号公報
【発明の概要】
【発明が解決しようとする課題】
【０００８】  本発明は、上記した事情のもとで考え出されたものであって、上方に複数層の足場が設けられた場合であっても、変形したり損傷したりすることなく、足場が拡幅された状態を強固に保持することのできる足場拡幅用ブラケットを提供することをその課題とする。また、その足場拡幅用ブラケットを支柱に取付けるときの取付方法を提供することをその課題とする。
【課題を解決するための手段】
【０００９】  本発明の第１の側面によって提供される足場拡幅用ブラケットは、上下方向に所定間隔を隔てて設けられた複数のフランジを有する支柱に対して取り付けられ、足場の幅方向に拡げるための足場拡幅用ブラケットであって、水平方向に延びた水平部材と、前記水平部材の下面途中から前記支柱側にかつ斜め方向に延び、一端が前記支柱に当接されて前記水平部材を支持する斜め部材と、前記水平部材の一端に設けられ、前記足場板を敷設するための水平材が連結されるフランジと同一のフランジに連結するための第１連結部材と、前記水平部材の他端に上下方向に延びて設けられ、前記支柱と異なる拡幅用支柱を上部に支持する支柱支持部材と、前記支柱支持部材の下部に設けられ、前記支柱支持部材を支持するための長尺状の長尺支持部材と、前記長尺支持部材の一端に設けられ、前記水平材と異なる他の水平材が連結される他のフランジと同一のフランジに連結するための第２連結部材と、を備えることを特徴としている。【００１０】  本発明の足場拡幅用ブラケットにおいて、前記長尺支持部材は、前記支柱支持部材と別体とされており、前記支柱支持部材の下部に取外し自在に設けられているとよい。【００１１】  本発明の足場拡幅用ブラケットにおいて、前記各フランジは、略板状に形成されかつ前記各連結部材を連結するためのフランジ孔が形成されており、前記第１連結部材及び第２連結部材は、前記フランジを挟み込む側面開口、上面に形成された上面開口及び下面に形成された下面開口をそれぞれ有する本体と、前記本体の上面開口、前記フランジ孔及び前記本体の下面開口にこの順序でそれぞれ挿入することにより前記フランジと前記本体とを連結するための略棒状のくさびと、をそれぞれ有しているとよい。【００１２】  本発明の第２の側面によって提供される足場拡幅用ブラケットの取付方法は、足場の幅方向に拡げるための足場拡幅用ブラケットを、上下方向に所定間隔を隔てて設けられた複数のフランジを有する支柱に対して取り付ける取付方法であって、前記支柱と異なる拡幅用支柱を支持するための上下方向に延びた支柱支持部材に接続され、水平方向に延びた水平部材を、前記水平部材の一端に設けられた第１連結部材を用いて前記フランジに連結固定する第１工程と、前記支柱支持部材と、この支柱支持部材を支持するための長尺状の前記長尺支持部材とを接続する第２工程と、前記長尺支持部材を、前記長尺支持部材の一端に設けられた第２連結部材を用いて前記フランジと異なる他のフランジに連結固定する第３工程と、を有することを特徴としている。
【発明の効果】
【００１３】  本発明によれば、長尺状の長尺支持部材の一端に設けられた第２連結部材は、水平材が連結されるフランジに連結されるので、上方に複数層の足場が敷設された場合に、支柱や足場拡幅用ブラケットに荷重が集中したとしても、当該フランジにおいて荷重を水平材側と支柱側とに分散させることができる。そのため、足場拡幅用ブラケットを変形させたり損傷させたりすることなく、足場が拡幅された状態を強固に保持することができる。
【図面の簡単な説明】
【００１４】
【図１】本発明に係る足場拡幅用ブラケットが適用される仮設足場を示す側面図である。
【図２】図１に示す足場拡幅用ブラケットの側面図である。
【図３】図１に示す足場拡幅用ブラケットの要部を示す斜視図である。
【図４】連結部材を示す斜視図である。
【図５】足場拡幅用ブラケットの要部分解斜視図である。
【図６】足場拡幅用ブラケットの作用を説明するための図である。
【図７】足場拡幅用ブラケットが張り出しブラケットとして用いられた場合の仮設足場を示す側面図である。
【図８】従来の足場拡幅用ブラケットを示す図である。
【図９】従来の足場拡幅用ブラケットが適用された仮設足場を示す側面図である。
【発明を実施するための形態】
【００１５】  以下、本発明の実施の形態につき、図面を参照して具体的に説明する。
【００１６】  図１は、本発明に係る足場拡幅用ブラケット（以下、単に「ブラケット」という）が適用される仮設足場を示す側面図である。図２は、図１に示すブラケットの側面図である。図３は、図１に示すブラケットの要部を示す斜視図である。
【００１７】  この仮設足場は、例えば一般住宅の建築工事現場等で用いられるものであり、複数の支柱１が立設されている。支柱１は、建築物Ｂの近傍に壁つなぎ２等を用いて立設される内側支柱３と、内側支柱３から建築物Ｂに対して遠ざかる方向（図１の右方向）に所定間隔を隔てて立設される外側支柱４とを有している。
【００１８】  内側支柱３及び外側支柱４は、図示していないが、建築物Ｂに沿う方向（図１の奥行方向）にも所定のスパンごとに立設されている。隣り合う内側支柱３及び外側支柱４同士の間には、各支柱３，４を支持するための水平材５が連結されている。水平材５には、例えば足場板としての床付布枠のフック（いずれも図示せず）が掛止される。床付布枠は、その上を現場作業者が歩行したり作業したりするためのものであり、その長手方向が建築物Ｂに沿うようにして敷設される。図１では、床付布枠は、奥行方向に延びてこの仮設足場に敷設されている。
【００１９】  各支柱３，４には、上下方向に所定間隔を隔てて複数のフランジ６が形成されている。各フランジ６には、例えば水平材５やブラケット１０（後述）等の各部材を四方に向けて連結可能とするための４つの掛止孔６ａがそれぞれ形成されている（図３参照）。
【００２０】  本実施形態の仮設足場では、水平材５が連結されるフランジ６を基準にして例えば上方向に４つ目のフランジ６に他の水平材５が連結される。水平材５には、図略の足場板が敷設され、これら水平材５同士の間が足場空間とされ、一つの層を構成している。以下、水平材５が連結されるフランジ６を特に「基準フランジ６Ａ」ということにする。
【００２１】  外側支柱４のさらに外側には、本実施形態の特徴であるブラケット１０が取付けられる。ブラケット１０は、仮設足場の高さ中途位置から足場の幅方向に拡げるためのものである。ブラケット１０は、図２及び図３に示すように、略水平方向に延びた水平部材１１と、水平部材１１の下面途中から外側支柱４側に斜め下方に延び、かつ先端が外側支柱４に当接される斜め部材１２と、水平部材１１及び斜め部材１２のそれぞれの途中位置から上下方向に結ぶ補強部材１３と、水平部材１１の他端に上下方向に延びて接続され、後述する拡幅用支柱２６を支持する支柱支持部材１４と、支柱支持部材１４の下部に設けられ、外側支柱４のフランジ６に連結された長尺状の長尺支持部材１５とによって構成されている。
【００２２】  水平部材１１は、その一端側に第１連結部材１７が設けられており、他端に支柱支持部材１４が接続されている。第１連結部材１７は、水平部材１１を外側支柱４の基準フランジ６Ａに連結固定させるためのものである。
【００２３】  第１連結部材１７は、図４に示すように、全体形状が略円筒状とされた本体１８と、略棒状のくさび１９とによって構成される。本体１８は、外側支柱４側の側面に略ワニ口状の前面開口２０が形成されている。本体１８は、その内部に空間部が形成されており、前面開口２０はこの空間部に連通されている。本体１８は、その上面及び下面に端部側近傍から水平部材１１側に至ってそれぞれ延びる上面開口２１及び下面開口２２が形成されている。上面開口２１及び下面開口２２も、上記空間部に連通されている。
【００２４】  くさび１９は、本体１８に遊嵌されているとともに本体１８から抜脱不能とされている。くさび１９の下端部近傍には、左右方向にともに突出した第１突起２３が形成されている。くさび１９は、この第１突起２３により本体１８の上面開口２１を通じて上方側に抜脱しないようになっている。
【００２５】  くさび１９は、その上端部に本体中央部に比べ左右方向に幅広に形成された第２突起２４が形成されている。くさび１９は、この第２突起２４により本体１８の上面開口２１の周縁で掛止され、くさび１９全体が上面開口２１を通じて本体１８の内部に入り込まないようになっている。
【００２６】  斜め部材１２は、その一端が水平部材１１の下面に接続され、その他端には外側支柱４の表面に沿う略湾曲状の当接部材２５が設けられている。
【００２７】  支柱支持部材１４は、円筒中空状のパイプ材からなり、このパイプ材に比べ直径がやや小とされたほぞ１４ａが上部に形成されている。ほぞ１４ａは、足場の幅方向に拡げるための拡幅用支柱２６を取付けるためのものである。支柱支持部材１４の下部には、対向する曲面に一対の孔１４ｂ（図５参照）がそれぞれ形成されている。一対の孔１４ｂは、長尺支持部材１５を取付けるためのものである。
【００２８】  長尺支持部材１５には、上端に正面視で略コの字状に形成された支持部２７が形成されている。支持部２７は、内側に対向する面に掛合ピン２８を挿通するための一対の挿通孔２７ａ（図５参照）がそれぞれ形成されている。掛合ピン２８は、略棒状に形成され、先端に出没自在とされた突起片２８ａが設けられている。掛合ピン２８の基端側には、支持部２７と連結されたチェーン２９が接続されている。
【００２９】  長尺支持部材１５は、支柱支持部材１４と別体とされており、支柱支持部材１４に取外し自在に設けられている。すなわち、長尺支持部材１５は、図５に示すように、掛合ピン２８が支持部２７の挿通孔２７ａと、支柱支持部材１４の孔１４ｂとに挿通されることにより、支柱支持部材１４に回動自在に支持される。また、長尺支持部材１５は、掛合ピン２８を抜脱することにより、支柱支持部材１４から取外し自在とされている。
【００３０】  長尺支持部材１５の下端は、徐々に狭幅されて平面状となる平板部３０が形成されており、平板部３０には、第２連結部材３１が固定されている。第２連結部材３１は、長尺支持部材１５を外側支柱４の基準フランジ６Ａに連結固定させるためのものである。第２連結部材３１の構成は、上記した第１連結部材１７と同様の構成とされている。
【００３１】  長尺支持部材１５は、パイプ状に形成され、仮設足場のほぼ一層分の長さを有している。すなわち、長尺支持部材１５は、このブラケット１０が外側支柱４に取付けられる場合に、外側支柱４側にやや傾斜され、かつ下端が第２連結部材３１によって基準フランジ６Ａに連結固定される。
【００３２】  次に、このブラケット１０の作用について説明する。
【００３３】  仮設足場において高さ途中位置から足場の幅方向に拡げようとした場合、ブラケット１０は、図１に示したように、一層分の高さの基準になる基準フランジ６Ａ同士の間に取付けられる。
【００３４】  支柱支持部材１４のほぞ１４ａには、拡幅用支柱２６が取付けられる。そして、水平部材１１を連結固定した基準フランジ６Ａから拡幅用支柱２６の一層分上の基準フランジ６Ａと、内側支柱３の基準フランジ６Ａとの間に、両者に掛け渡すようにして拡幅用水平材３２（図１参照）が取付けられる。拡幅用水平材３２は、水平材５に比べ約１．５倍の長さを有している。拡幅用水平材３２には、図示しないが、足場板としての床付布枠のフックが掛止されることにより、図１に示す奥行方向に床付布枠が敷設される。したがって、拡幅用水平材３２によって床付布枠の設置領域が足場の幅方向に拡げられたことになる。
【００３５】  この場合、ブラケット１０は、水平部材１１を連結固定した基準フランジ６Ａに第１連結部材１７が連結され、長尺支持部材１５が一層下の基準フランジ６Ａまで延び、第２連結部材３１によってこれに連結固定されている。そのため、上方に複数層の足場が敷設され、ブラケット１０に対して荷重Ｐ（図１参照）が加わったとしても、ブラケット１０や支柱１が損傷することを抑制することができる。
【００３６】  すなわち、上方に複数層の足場が敷設された場合の荷重Ｐは、図６に示すように、第２連結部材３１が基準フランジ６Ａに連結固定されているため、この基準フランジ６Ａに集中することになる。しかしながら、基準フランジ６Ａには水平材５が連結固定されており、長尺支持部材１５の一端が基準フランジ６Ａに固定されているため、荷重Ｐは、基準フランジ６Ａにおいて外側支柱４に沿う力Ｐ１と水平材５に沿う力Ｐ２とに分散される。
【００３７】  従来の構成では、上方に複数層の足場が敷設される場合の荷重が直接的にブラケット４０に集中し、ブラケット４０の水平連結部４２や主軸部４１と傾斜補強部４４との接合部等が変形したり損傷したりするおそれがあった。しかしながら、本実施形態では、上記荷重Ｐが基準フランジ６Ａに集中され、基準フランジ６Ａにおいて荷重Ｐを分散させることができる。そのため、上方に複数層の足場が敷設された場合であっても、ブラケット１０を変形させたり損傷させたりすることなく、足場が拡幅された状態を強固に保持することができる。
【００３８】  また、ブラケット１０は、長尺支持部材１５が支柱支持部材１４に取外し自在とされているため、例えば図７に示すように、いわゆる張り出しブラケットとして用いることができる。すなわち、ブラケット１０は、図５に示したように、掛合ピン２８の突起片２８ａを押し込んで掛合ピン２８を支持部２７の挿通孔２７ａから抜脱することにより、支柱支持部材１４に長尺支持部材１５が接続されている状態から、長尺支持部材１５を支柱支持部材１４から取り外すことができる。
【００３９】  長尺支持部材１５が取り外されたブラケット１０は、建築物Ｂが高さ途中で横方向に突出している場合に（図７参照）、仮設足場を外側に延出させるとき、外側支柱４に取付けて、支柱支持部材１４に張り出し用支柱３２を取付ける。これにより、ブラケット１０は、張り出しブラケットとして用いることができる。また、長尺支持部材１５は、支柱支持部材１４と別体とされているので、これらを運搬、輸送するときに嵩張ることがなく、その梱包スペースを有効に使用することができる。
【００４０】  上記のように、長尺支持部材１５は、支柱支持部材１４から取り外すことができるので、このブラケット１０を外側支柱４に取付ける取付方法においては、長尺支持部材１５が支柱支持部材１４に接続された状態で取付ける方法と、長尺支持部材１５を支柱支持部材１４から取り外した状態で取付ける方法との２とおりの取付方法を有する。
【００４１】  まず、長尺支持部材１５が支柱支持部材１４に接続された状態で取付ける方法では、水平部材１１の第１連結部材１７を外側支柱４の基準フランジ６Ａに連結固定する。この場合、第１連結部材１７の前面開口２０を基準フランジ６Ａに横方向から嵌め込み、本体１８に遊嵌されているくさび１９を基準フランジ６Ａの掛止孔６ａに挿通させる。そして、くさび１９の上部を例えばハンマー等で打ち込むことにより、第１連結部材１７を基準フランジ６Ａに連結固定させる。
【００４２】  次いで、長尺支持部材１５の第２連結部材３１を一層下の基準フランジ６Ａに連結固定する。第２連結部材３１の基準フランジ６Ａに対する連結方法は、第１連結部材１７と同様である。この場合、長尺支持部材１５は、支柱支持部材１４に回動自在とされているため、第１及び第２連結部材１７，３１をともに基準フランジ６Ａに仮留めさせておく必要はなく、順番に基準フランジ６Ａに連結固定すればよい。
【００４３】  一方、長尺支持部材１５を支柱支持部材１４から取り外した状態で取付ける方法では、まず、支柱支持部材１４に接続されている水平部材１１の第１連結部材１７を基準フランジ６Ａに連結固定する。この場合、支柱支持部材１４には長尺支持部材１５が接続されていないので、支柱支持部材１４に長尺支持部材１５が接続された場合に比べ軽量であり、その取扱いが容易であるといった利点がある。
【００４４】  次いで、支柱支持部材１４に長尺支持部材１５を接続する。具体的には、支柱支持部材１４の下部に、長尺支持部材１５の支持部２７をあてがい、掛合ピン２８を支持部２７の挿通孔２７ａと支柱支持部材１４の孔１４ｂとに挿通させる。
【００４５】  そして、長尺支持部材１５の第２連結部材３１を一層下の基準フランジ６Ａに連結固定する。この場合、長尺支持部材１５は、支柱支持部材１４に回動自在とされるので、第２連結部材３１を基準フランジ６Ａに対する位置決めが容易となる。
【００４６】  このように、上記取付方法によれば、長尺支持部材１５を支柱支持部材１４から取り外した状態で外側支柱４にブラケット１０を取付けることができるので、長尺支持部材１５が支柱支持部材１４に接続された状態で取付ける場合に比べ、各部材の取扱いが容易となり、取付作業の短縮化を図ることができる。
【００４７】  なお、本発明の範囲は上述した実施の形態に限定されるものではなく、発明の範囲を逸脱しない範囲で種々の変更を行うことができる。例えば、上記実施形態におけるブラケット１０の第２連結部材３１は、長尺支持部材１５の平板部３０に固定されていたが、これに代えて上下方向に回動自在とされてもよい。また、長尺支持部材１５は、例えば直径が異なる２つのパイプ部材からなり、これらパイプ部材を重ねて摺動自在に用いることにより、長尺支持部材１５の全体長さを可変自在とされてもよい。この場合、例えば掛合ピン等をパイプ部材に挿通させることにより長尺支持部材１５の全体長さを維持するようにされる。
【００４８】  また、上記実施形態におけるブラケット１０、水平部材１１、斜め部材１２、支柱支持部材１４、長尺支持部材１５、第１及び第２連結部材１７，３１等の形状、大きさ、数量等は、上記実施形態に限るものではなく、適宜設計変更可能である。また、上記実施形態におけるブラケット１０の外側支柱４に対する取付方法も、上記実施形態に限るものではない。
【符号の説明】
【００４９】  １    支柱
３    内側支柱
４    外側支柱
６    フランジ
６Ａ  基準フランジ
６ａ  フランジ孔
１０    足場拡幅用ブラケット
１１    水平部材
１２    斜め部材
１４    支柱支持部材
１４ａ  ほぞ
１５    長尺支持部材
１７    第１連結部材
１８    本体
１９    くさび
２０    側面開口
２１    上面開口
２２    下面開口
３１    第２連結部材
【図１】
2015218576.tif 000003
【図２】
2015218576.tif 000004
【図３】
2015218576.tif 000005
【図４】
2015218576.tif 000006
【図５】
2015218576.tif 000007
【図６】
2015218576.tif 000008
【図７】
2015218576.tif 000009
【図８】
2015218576.tif 000010
【図９】
2015218576.tif 000011